(57)【要約】【課題】  操作において手に疲労が蓄積されにくい良好な操作性を得られるとともに、スイッチの劣化に対応しやすい構成を備えた操作スイッチ装置およびこれを用いる遊技機を提供する。【解決手段】  操作者に対面する位置に設けられ、操作者による押圧操作によってオンオフ動作を行う複数のスイッチ１００ａ，１００ｂ，１００ｃが不動部に相当する盤面の一部に装備されている操作スイッチ装置において、上記スイッチ１００ａ，１００ｂ，１００ｃの支持部が上記盤面に対して垂直方向に回動可能なスイッチユニットＳＵで構成され、該スイッチユニットＳＵが操作者による傾動操作によって少なくとも操作者に対面する向きとこの向きと直角な向きとに変更可能に設けられ、各向きが上記スイッチユニットＳＵの回動周面に対して係脱可能なラッチ機構２００を介して保持されることを特徴としている。【選択図】  図３
2005296268.tif 000002
【特許請求の範囲】
【請求項１】
操作者に対面する位置に設けられ、操作者による押圧操作によってオンオフ動作を行う複数のスイッチが不動部に相当する盤面の一部に装備されている操作スイッチ装置において、
上記スイッチの支持部が上記盤面と独立して設けられて該盤面に対して垂直方向に回動可能なスイッチユニットで構成され、該スイッチユニットが操作者による回動操作によって少なくとも操作者に対面する向きとこの向きと直角な向きとに変更可能に設けられていることを特徴とする操作スイッチ装置。
【請求項２】
請求項１記載の操作スイッチ装置において、
上記スイッチユニットは、回動周面に対して係脱可能なラッチ機構を介して上記盤面に対する回動位置に保持されることを特徴とする操作スイッチ装置。
【請求項３】
請求項２記載の操作スイッチ装置において、
上記ラッチ機構には、上記スイッチユニット側の回動周面およびこれに対向する盤面側のいずれか一方に設けられた係合部と上記スイッチユニット側の回動周面および盤面側のいずれか他方に設けられた係止部材とが用いられることを特徴とする操作スイッチ装置。
【請求項４】
請求項１または２記載の操作ユニット装置において、
上記スイッチユニットには、上記操作者に対面する向きと直角な向きに回動した際に水平方向に張り出す手首載せ部が設けられていることを特徴とする操作スイッチ装置。
【請求項５】
請求項１乃至４のうちの一つに記載の操作スイッチ装置において、
上記スイッチユニットは上記盤面に対して交換可能に設けられていることを特徴とする操作スイッチ装置。
【請求項６】
請求項１乃至５のうちの一つに記載の操作スイッチ装置を用いることを特徴とする遊技機。
【請求項７】
請求項６記載の遊技機において、
上記操作スイッチ装置が、複数の回胴リールを対象とした少なくとも停止スイッチを備えていることを特徴とする遊技機。
【発明の詳細な説明】
【技術分野】
【０００１】
本発明は、操作スイッチ装置および遊技機に関し、さらに詳しくは、パチンコ遊技機、スロットマシンあるいは雀球機さらにはパチスロマシンやゲームセンターで用いられるゲーム機などの箱形遊技機に装備される操作スイッチ装置の構成に関する。
【背景技術】
【０００２】
周知のように、遊技機、特に箱形遊技機の一つとして回胴式遊技機として知られているスロットマシンにおいては、スタートレバーあるいはスタートボタンを操作することにより複数個のリールを回転させ、ストップボタンを操作させることで各リールの回転を順次停止させ、停止した際のリールの図柄の組み合わせによりメダルあるいは球を払い出す構成を用いたものがある（例えば、特許文献１）。
図１は、スロットマシンの従来例を示す図であり、同図においてスロットマシン９００においては、３個の円筒状のリール９０３ａ，９０３ｂ，９０３ｃと、メダル投入部９０４と、前記リールを一斉に回転させる操作を行うためのスタートレバー９０５と、前記各リールの回転をそれぞれ停止させる操作を行うためのストップボタン９０６ａ，９０６ｂ，９０６ｃ等を備えている。ここで、リール９０３ａ，９０３ｂ，９０３ｃの周面には図示しない複数種類の図柄が描かれており、これらの図柄がパネル面９０１に形成されている透明な表示窓９０２を通して目視されるようになっている。
【０００３】
スタートレバー９０５は、傾倒操作されることでオン動作するレバースイッチであり、ストップボタン９０６ａ，９０６ｂ，９０６ｃは、押圧操作されることでオン動作する押しボタン式のスイッチである。そして、メダル投入部９０４と、スタートレバー９０５、及びストップボタン９０６ａ，９０６ｂ，９０６ｃ等のスイッチ類が、フロントパネルに一体的に形成されている操作卓９０８の適宜の位置にそれぞれ配置されている。
【０００４】
従来のスロットマシン９００は、遊技者によってメダル投入部９０４に遊技メダルが投入されるとゲームの開始が有効となり、スタートレバー９０５が傾倒操作されてリール９０３ａ，９０３ｂ，９０３ｃが一斉に回転する。遊技者が何れか任意のストップボタン９０６ａ，９０６ｂ，９０６ｃを押圧操作すると、そのストップボタンに対応するリールが制動されて停止する。そして、全てのリール９０３ａ，９０３ｂ，９０３ｃが停止操作され、それらが表示する図柄が所定の組合せで揃うと入賞となり、入賞の種類に応じた数の遊技メダルが排出口９０７から払い出されるようになっている。
【０００５】
このような操作部を備えたスロットマシン９００においては、遊技者が各リール９０３ａ，９０３ｂ，９０３ｃの図柄を揃えるべく上述のストップボタン９０６ａ，９０６ｂ，９０６ｃを押圧操作する、いわゆる目押しと呼ばれる操作が主な遊技行為となっている。このため、ストップボタン９０６ａ，９０６ｂ，９０６ｃが押圧操作される頻度も非常に高いものとなっている。
【０００６】
ところで、上述した従来のストップボタン９０６ａ、９０６ｂ、９０６ｃは、通常遊技機の正面パネルを構成する盤面に固定されており、その向きが遊技者、いわゆる操作者に対面する向きの固定されている。
このため、遊技者にとってはこれらスイッチを押圧する態勢が限られてしまい、スイッチの押圧操作を繰り返すことにより手への疲労の蓄積などが発生してゲームを楽しむことができなくなる虞がある。
そこで、盤面に対して遊技者の好みに応じた角度にスイッチパネルを傾動させる構成が提案されている（例えば、特許文献２）。
【０００７】
【特許文献１】特開２００３−２９０４３２号公報（第２頁右欄第１７行〜２５行）
【特許文献２】特開平１１−２２６１７８号公報（段落「０００９」欄）
【発明の開示】
【発明が解決しようとする課題】
【０００８】
しかし、スイッチパネルを傾動させる構成を設けた場合においては、特許文献２にも開示されているように、スイッチの並設方向に延長された位置にスイッチパネルの傾動位置保持機構を設けることとなり、その保持機構のサイズによっては盤面内部での設置スペースを拡大させることもある。このため、遊技機自体のサイズ、特にスイッチの並設方向のサイズが増加する場合もあり、遊技場での島領域に設置する遊技機の数が抑えられることにもなりかねない。
一方、傾動可能なスイッチパネルは、従来のものと同様に盤面に取り付けられると不用意に外れないように支持されることが多い。
スイッチは押圧操作の繰り返しにより表面の摩滅等の劣化が生じやすい部分であることから交換する場合もあるが、盤面において外れないように支持されていると容易に交換することができず、盤面自体の取り外しを行って初めて交換できるという手順を採らざるを得ない場合がある。このため、遊技場では頻繁に盤面の交換などを行うことは不経済であることから、よほどスイッチ表面の見栄えや摩滅等の劣化が進行しない限り交換することは行われず、この結果として、遊技者にとってスイッチの操作に快適性が得られない印象を与えてしまう場合がある。
【０００９】
本発明の目的は、上記従来の操作スイッチ装置およびこれを備えた遊技機における問題に鑑み、操作において手に疲労が蓄積されにくい良好な操作性を得られるとともに、スイッチの劣化に対応しやすい構成を備えた操作スイッチ装置および遊技機を得ることにある。
【課題を解決するための手段】
【００１０】
請求項１に記載の発明は、操作者に対面する位置に設けられ、操作者による押圧操作によってオンオフ動作を行う複数のスイッチが不動部に相当する盤面の一部に装備されている操作スイッチ装置において、上記スイッチの支持部が上記盤面に対して垂直方向に回動可能なスイッチユニットで構成され、該スイッチユニットが操作者による傾動操作によって少なくとも操作者に対面する向きとこの向きと直角な向きとに変更可能に設けられていることを特徴としている。
【００１１】
請求項２記載の発明は、請求項１記載の操作スイッチ装置において、上記スイッチユニットは、回動周面に対して係脱可能なラッチ機構を介して上記盤面に対する回動位置に保持されることを特徴としている。
【００１２】
請求項３記載の発明は、請求項２記載の操作スイッチ装置において、上記ラッチ機構には、上記スイッチユニット側の回動周面およびこれに対向する盤面側のいずれか一方に設けられた係合部と上記スイッチユニット側の回動周面および盤面側のいずれか他方に設けられた係止部材とが用いられることを特徴としている。
【００１３】
請求項４記載の発明は、請求項１または２記載の操作ユニット装置において、上記スイッチユニット若しくは盤面側には、上記操作者に対面する向きと直角な向きに回動した際に水平方向に張り出す手首載せ部が設けられていることを特徴としている。
【００１４】
請求項５記載の発明は、請求項１乃至４のうちの一つに記載の操作スイッチ装置において、上記スイッチユニットは上記盤面に対して交換可能に設けられていることを特徴としている。
【００１５】
請求項６記載の発明は、請求項１乃至５のうちの一つに記載の操作スイッチ装置を遊技機に用いることを特徴としている。
【００１６】
請求項７記載の発明は、請求項６記載の遊技機において、上記操作スイッチ装置が、複数の回胴リールを対象とした少なくとも停止スイッチを備えていることを特徴している。
【発明の効果】
【００１７】
請求項１記載の発明によれば、スイッチの支持部が盤面に対して傾動可能に設けられ、操作者の傾動操作により操作者に対面する向きおよびこれ以外の向きに変更できるので、スイッチの向きを操作者にとって疲労の蓄積が少なく、また操作性の良好な態勢を選択することが可能となる。
【００１８】
請求項２および３記載の発明によれば、スイッチユニットの回動周面に対して係脱可能な係合部および係止部によりスイッチユニットが回動位置に保持されるので、スイッチユニットの回動端面に保持機構を設けた場合のような遊技機幅方向での設置スペースの拡大を抑制することができる。
【００１９】
請求項４記載の発明によれば、スイッチユニットが操作者と対面する向きと直角な向きに回動した際に手首載せ部が水平方向に張り出すようになっているので、垂直方向から押圧操作する際に手首が浮くのをなくして腕の重さが肩に負担となるのを軽減して操作の際の疲労を軽減することが可能となる。
【００２０】
請求項５記載の発明によれば、スイッチユニットが盤面に対して交換可能であるので、盤面を取り外すことをなくして盤面自体の取り外しに要する労力負担を低減することが可能となる。
【００２１】
請求項６および７記載の発明によれば、遊技の際の操作頻度の高い部材である操作スイッチを遊技者にとって手への疲労の蓄積が少なく、操作しやすい態勢とすることができるので、良好な操作性を得ることが可能となり、しかも、スイッチユニットのみの交換により盤面に装備されている一パーツの交換作業で済むことによりスイッチの劣化の際の交換作業性を改善することが可能となる。
【発明を実施するための最良の形態】
【００２２】
以下、本発明による好適な一実施形態としてスロットマシンＳＭを説明する。ここで、図２は、本スロットマシンＳＭの外観構造を表した正面図である。同図において、スロットマシンＳＭの遊技者に面する側は化粧板としてデザインされたフロントパネルＦＰが硬質プラスチックにより一体的に形成されている。フロントパネルＦＰは、上部パネル部ＵＰと、中部パネル部ＭＰと、下部パネル部ＬＰとを備え、中部パネル部ＭＰと下部パネル部ＬＰとの間には、遊技者側に若干突き出して操作卓ＯＰが一体的に形成されている。なお、操作卓ＯＰの適宜の位置には、スロットマシンＳＭのゲーム操作を行うための後述するスイッチ類が配置されている。
【００２３】
上部パネル部ＵＰの略中央には、ゲームを演出する映像を表示するための液晶表示装置１３が配置され、透明な硬質プラスチック板で形成された表示窓１４を通して液晶表示装置１３の映像が目視されるようになっている。
【００２４】
表示窓１４の両側には、複数のスリット孔からなる放音部１２ａ，１２ｂが形成され、ゲームを演出する効果音を発するための図示しないスピーカ（３２１ａ，３２１ｂ）が放音部１２ａ，１２ｂの裏面に取り付けられている。
【００２５】
また、上部パネル部ＵＰの上端部分には、高輝度の発光ダイオードを内蔵しこれらを点灯または点滅させることで光による演出を行うための演出用ランプ１１が配設されている。
【００２６】
中部パネル部ＭＰには、硬質プラスチック板等で形成されたパネル面２１が設けられている。パネル面２１の中央には略長方形の透明な表示窓２２が形成され、表示窓２２を通してスロットマシンＳＭの筐体内に設けられている３個のリール２３ａ，２３ｂ，２３ｃを目視できるようになっている。
【００２７】
ここで、各リール２３ａ，２３ｂ，２３ｃは、それぞれ直径が同一の円筒形状を有しており、回転軸に沿って３個並べて配列されている。そして、各リール２３ａ，２３ｂ，２３ｃの外周面にはその周方向に沿って複数種類の図柄（図示略）が描かれており、遊技者は表示窓２２を通して一のリールに描かれた上下方向３個の図柄と、横方向に配列されたリール３列の図柄を目視することができるようになっている。また、遊技者の操作に応じて、各リール２３ａ，２３ｂ，２３ｃは回転及び停止の動作が行われ、これにより、表示されるリールの図柄の種類が変更されるようになっている。
【００２８】
また、パネル面２１には、例えば入賞役への内部当選など遊技状態に関する情報をランプ等で点灯表示する遊技情報表示装置２４と、複数の発光ダイオードがマトリクス状に配列され各発光ダイオードを選択的に発光させることでドット画像を演出表示するドット表示装置２６が設けられている。また、表示窓２２の下側には、スロットマシンＳＭにクレジット（貯留）されている遊技メダル（以下、単に「メダル」）数や、入賞によって獲得したメダル数、入賞役への当選回数等の数値情報を表示する７セグメントＬＥＤからなる数値情報表示装置２５が設けられている。
【００２９】
更に、パネル面２１の両側には、高輝度発光ダイオードを内蔵する演出用ランプ２７ａ，２７ｂが配設されている。
【００３０】
操作卓ＯＰは、遊技者側（前方）に向かって若干下がりながら傾斜した平面を有している。そして、操作卓ＯＰの当該平面の右側にはメダルを投入するためのメダル投入部３１が設けられ、当該平面の左側には押しボタンスイッチであるベットボタン３２が設けられている。
【００３１】
なお、図示はしていないが、メダル投入部３１には投入されたメダルが正規のものかどうか判別するセレクト機構が筐体内に連設されており、正規のメダルが投入された場合にこれを検出し検出信号を後述の主制御基板（２００）へ送出するメダル投入センサ（４１０）がセレクト機構に組み込まれている。
【００３２】
ベットボタン３２は、スロットマシンＳＭのゲームに賭けるメダルの枚数を提示するためのボタンスイッチである。ゲームを開始する際に、ベットボタン３２が押圧操作されることで、貯留されているメダルから例えば３枚のメダルが当該ゲームに対して賭けられる。
【００３３】
操作卓ＯＰの前面左側には、リール２３ａ，２３ｂ，２３ｃの回転開始を指示するためのスタートレバー３３が設けられている。スタートレバー３３は、先端に球形の操作ノブを有する揺動可能な操作旱を備え、操作旱が傾倒操作されるとオン、操作旱から手が離されるとスプリングの付勢力によって自動的に元の位置に戻ってオフ状態となるスイッチユニットで形成されている。
【００３４】
操作卓ＯＰの前面ほぼ中央には、リール２３ａ，２３ｂ，２３ｃの回転停止を指示するためのストップスイッチユニットＳＵが取り付けられている。なお、詳しくは後述するが、ストップスイッチユニットＳＵは、押しボタンを用いたストップスイッチ１００ａ、１００ｂ、１００ｃが設けられており、操作卓ＯＰを構成する盤面とは独立して垂直方向に回動できる構成とされている。
【００３５】
下部パネル部ＬＰには、スロットマシンＳＭのゲームの内容または登場キャラクタなどを紹介するための絵等が配置されるパネル面４１が設けられている。パネル面４１の下側には、メダルを排出するための排出口４２と、排出されたメダルを受ける受皿４４とが設けられている。また排出口４２の両側に隣接して、多数の孔から形成された放音部４３ａ，４３ｂがそれぞれ設けられ、演出効果音を発する図示しないスピーカ（３２２ａ，３２２ｂ）が放音部４３ａ，４３ｂの裏面に配置されている。
【００３６】
本スロットマシンＳＭは、遊技者がメダル投入部３１よりメダルを投下し、またはメダルがクレジットされている場合にはベットボタン３２を操作するとゲームの開始が有効となる。そして、遊技者によりスタートレバー３３が傾倒操作されると、全てのリール２３ａ，２３ｂ，２３ｃが一斉に回転する。リール２３ａ，２３ｂ，２３ｃが所定の回転数に達すると停止操作が準備状態になり、遊技者が任意の順序でストップスイッチユニットＳＵのストップスイッチ１００ａ，１００ｂ，１００ｃを押圧操作することにより、対応するリールの回転が停止する。そして、停止した３個のリール２３ａ，２３ｂ，２３ｃにより表示される図柄が所定の組合せで揃うと入賞となり、その入賞の種類に応じた枚数のメダルが遊技者に配当されるようになっている。
【００３７】
次に、リールの回転を停止する操作を行うためスロットマシンＳＭに取り付けられる上述したストップスイッチユニットＳＵにつき図３〜図５を参照して説明する。
図３は、操作卓ＯＰの部分のみを抽出して示す正面図であり、同図においてストップスイッチユニットＳＵは、ストップスイッチ１００ａ、１００ｂ，１００ｃが並設されている領域が操作卓ＯＰにおける他の領域の盤面とは独立して垂直方向に回動する構成とされている。
図３（Ｂ）は、ストップスイッチユニットＳＵのみを抽出して示す斜視図であり、同図において、ストップスイッチユニットＳＵは、各ストップスイッチ１１０ａ，１００ｂ，１００ｃが並設されている操作面が平坦面とされ、この操作面と反対側となる奥側が円弧面とされたボックス部材で構成されている。
ストップスイッチユニットＳＵにおいてストップスイッチ１００ａ，１００ｂ，１００ｃの並設方向両端の壁面には回転軸ＳＵ１が設けられており、回転軸ＳＵ１は、図３（Ｃ）において二点鎖線で示すように、隣接する盤面内部に設けられている支持部ＳＵ２に挿嵌されている。
【００３８】
図３（Ｃ）において回転軸ＳＵ１が挿嵌される支持部ＳＵ２は、盤面に直角な開口を有した側面視形状が反転したＬ字状の溝部で構成されており、開口を介して外部に挿脱できるようになっている。これにより、ストップスイッチユニットＳＵは、支持部ＳＵ２の最深部に回転軸ＳＵ１が位置している場合には回動可能に支持され、支持部ＳＵ２の形状に沿って開口から抜き出したりあるいは開口から挿入することにより交換することができるようになっている。なお、支持部ＳＵ２の開口は、盤面に表面に配置される化粧パネル（図示されず）などにより覆われて通常は外部から見えないようになっている。
【００３９】
ストップスイッチユニットＳＵにおける円弧面には、ユニットＳＵを回動位置に保持するためのラッチ機構２００が設けられている。
ラッチ機構２００は、図３（Ｂ）に示すように、円弧面の周方向に沿って複数形成された係合凹部２００Ａと、これに対向して係脱可能な係止部材２００Ｂとを備えている。
係合凹部２００Ａは、図３（Ｃ）に示すように、円弧面の周方向に沿ってストップスイッチユニットＳＵをその操作面が盤面と平行して遊技者に対面する向き、盤面に対して直角な向きおよびこれら各向きの中間の回動位置が設定できる位置にそれぞれ形成されている。なお、図２（Ｃ）において符号Ｌ１は、ストップスイッチユニットＳＵの操作面が遊技者に対面する向きを設定できる係合凹部２００Ａの位相を示し、符号Ｌ２は盤面に対してストップスイッチユニットＳＵの操作面が垂直に向く係合凹部２００Ａの位相を示し、そして符号Ｌ３はストップスイッチユニットＳＵの操作面が符号Ｌ１，Ｌ２で示す位置の中間（４５°）の向きとなる位相をそれぞれ示している。
一方、係止部材２００Ｂは、支点軸２００Ｂ１により揺動可能な側面視形状がＬ字状の揺動アームで構成されており、揺動端の一方は係合凹部２００Ａに係合できる形状の係止部２００Ｂ２が設けられ、揺動端の他方には係止部２００Ｂ２を係合凹部２００Ａに向けて付勢するバネ２００Ｂ３の一端が掛け止められている。
【００４０】
ラッチ機構２００は、バネ２００Ｂ３の付勢に抗してストップスイッチユニットＳＵを操作した場合に係止部材２００Ｂの係止部２００Ｂ１が係合凹部２００Ａから外れることにより回動できるようになっており、各係合凹部２００Ａのいずれかと係止部材２００Ｂとの係合関係により、図３（Ａ）に示すように、ストップスイッチユニットＳＵの操作面が遊技者に対面する向き、これ以外の向き、つまり、図４（Ａ），（Ｂ）に示すように盤面と直角な向き、そして図示しないが、これら各方向の中間状態の向きをそれぞれ設定できるようになっている。
【００４１】
本実施例は、以上のような構成であるから、遊技者は自らに対面する向きにあるストップスイッチユニットＳＵを好みに応じてあるいは手への疲労の蓄積状況に応じて操作面の向きを変更することができる。
これにより、遊技者は手への疲労の蓄積を軽減した状態で遊技を継続することができるようになる。
一方、ストップスイッチユニットＳＵの回動位置を保持するクリック機構２００は、ストップスイッチユニットＳＵの円弧面を対象とした係合凹部２００Ａおよびこれに係脱可能な係止部材２００Ｂとの配置関係が円弧面の周面に沿って形成された係合凹部２００Ａに対向するように円弧面よりも奥側に位置している。
【００４２】
本実施例によれば、ストップスイッチユニットＳＵにおけるストップスイッチの並設方向両側にはラッチ機構を構成する部材が存在しないことになり、遊技機内での幅方向のスペースが不用意に拡大するようなことをなくすことができる。この結果、遊技機の幅が拡大した場合のような島内での遊技機の設置数が少なくなるような事態を防止して遊技場での遊技機の稼働数の低下を抑えることができる。
【００４３】
次の本発明の別実施例について説明する。
本実施例は、ストップスイッチユニットＳＵの向きが盤面と直角に変更された場合にストップスイッチの上方から押圧操作する手の受け部を設けて腕を浮かした状態での押圧操作による肩への負担を軽減できる構成を備えたことを特徴としている。
【００４４】
図５は、本実施例の構成を示す模式図であり、同図において操作卓ＯＰにおけるストップスイッチユニットＳＵを格納している盤面内部には、ストップスイッチユニットＳＵの下部位置に板状の手首載せ部２１０が摺動可能に設けられている。
手首載せ部２１０は、少なくとも手首を支えることができるサイズを持ち、図示しないが盤面内に設けてあるガイド部に摺動方向と直角な方向の端部が支持されており、上面における手が載る部分以外の位置にラック２１０Ａが設けられている。
【００４５】
一方、ストップスイッチユニットＳＵには、円弧面の一部にラック２１０Ａに噛み合うセクタギヤＳＵ３が設けられている。
【００４６】
本実施例は以上のような構成であるから、図５（Ａ）に示すように、ストップスイッチユニットＳＵが遊技者に対面する向きにある場合には、手首載せ部２１０が盤面内に収納された状態を維持され、ストップスイッチユニットＳＵが盤面と直角な向きに回動された場合には、図５（Ｂ）に示すように、セクタギヤＳＵ４と噛み合うラック２１０Ａを介して手首載せ部２１０が盤面から遊技者側に向けて進出する。
【００４７】
本実施例によれば、手首載せ部２１０が盤面から進出した場合には、手首載せ部２１０に少なくとも遊技者の手首を載せて支えることができ、いわゆる、ハンドレスト部として機能することになるので、ストップスイッチの上方から押圧操作する際に手および腕が浮いた場合に発生する肩への負担を軽減させることができる。
なお、本発明は、実施例に挙げたスロットマシンに限らず、パチンコ遊技機や遊技場で用いられる箱形遊技機などにも適用できることもちろん可能である。
【図面の簡単な説明】
【００４８】
【図１】従来技術によるスロットマシンの外観構造を表した正面図である。
【図２】本発明の実施例による操作スイッチ装置が用いられる遊技の一つであるスロットマシンの外観構造を表した正面図である。
【図３】本発明実施例による操作スイッチ装置の要部構成を示す図であり、（Ａ）はストップスイッチユニットを備えた操作卓の正面図、（Ｂ）はストップスイッチユニットのみを示す斜視図、（Ｃ）は（Ａ）中、符号（Ｃ）で示す方向の矢視図である。
【図４】図３に示したストップスイッチユニットの一態様を示す図であり、（Ａ）はストップスイッチユニットを備えた操作卓の正面図、（Ｂ）は（Ａ）中、符号（Ｂ）で示す方向の矢視図である。
【図５】本発明の別実施例による操作スイッチ装置の要部構成を説明するための図であり、（Ａ）は図３（Ｃ）で示した場合と同様な方向の矢視図であり、（Ｂ）は（Ａ）の状態からの作用を示す図である。
【符号の説明】
【００４９】
ＳＭ                          スロットマシン、
ＳＵ                          ストップスイッチユニット
ＳＵ１                        回転軸
ＳＵ２                        支持部
ＳＵ３                        セクタギヤ
１００ａ，１００ｂ，１００ｃ  ストップスイッチ
２００                        ラッチ機構
２００Ａ                      係合凹部
２００Ｂ                      係止部材
２００Ｂ１                    係止部
２００Ｂ２                    バネ
２１０                        手首載せ部
２１０Ａ                      ラック
Ｌ１，Ｌ２，Ｌ３              係合凹部の位相
【図１】
2005296268.tif 000003
【図２】
2005296268.tif 000004
【図３】
2005296268.tif 000005
【図４】
2005296268.tif 000006
【図５】
2005296268.tif 000007